【事件の表示】
　特許第２６０８５００号「シャンプー組生物」の特許に対する特許異議の申立てについて、次のとおり決定する。
【結論】
　訂正を認める。
　特許第２６０８５００号の特許を維持する。
【理由】
Ｉ．手続の経緯
　特許第２６０８５００号の請求項１に係る発明は、平成３年１２月２７日に特許出願され、平成９年２月１３日にその特許の設定登録がなされ、その後、三洋化成工業株式会社より特許異議の申立てがなされ、取消理由通知がなされ、その指定期間内である平成１０年１１月１９日に訂正請求がなされたものである。
ＩＩ．訂正の適否についての判断
　上記訂正は、（１）【特許請求の範囲】の【請求項１】及び（２）段落【０００７】に記載の「アルキレングリコールアルキルエーテル及び‥‥」を「一般式（１）
（式中、Ｒ１は水素原子又はメチル基を示し、Ｒ２は炭素数１〜５のアルキル基を示す。）
で表されるアルキレングリコールアルキルエーテル及び‥‥」と訂正し、また、これに伴い（３）段落【０００８】及び【０００９】の記載を削除し、（４）段落【００１０】「（式中‥‥を示す）で表されるものが挙げられる。」を「本発明で用いられるアルキレングリコールアルキルエーテルとしては、」と訂正とするものである。
　そこで、これらの訂正事項を検討するに、
　（１）の訂正は、【特許請求の範囲】の【請求項１】に記載の「アルキレングリコールアルキルエーテル」を限定するものであるから、特許請求の範囲の減縮を目的とするものであり、また、（２）〜（４）の訂正は、（１）の訂正に伴う訂正であるから、発明の詳細な説明の欄中の明りょうでない記載の釈明を目的とするものである。
　そして、前記訂正は、実質上特許請求の範囲を拡張又は変更するものではなく、また、願書に添付した明細書に記載した事項の範囲以内のものであり、更に、訂正明細書の請求項１に係る発明は、後述のとおり、特許出願の際独立して特許を受けることができるものと認められる。
　以上のことから、上記訂正請求は、特許法第１２０条の４第第２項及び同条第３項で準用する第１２６条第２−４項の規定に適合するので、当該訂正を認める。
ＩＩＩ．特許異議の申立てについての判断
１．本件発明
　訂正明細書の請求項１に係る発明（以下「本件発明」という。）は、その特許請求の範囲の請求項１に記載された次の事項により特定されるとおりのものである。
　請求項１「一般式（１）
（式中、Ｒ１は水素原子又はメチル基を示し、Ｒ２は炭素数１〜５のアルキル基を示す。）
で表されるアルキレングリコールアルキルエーテル及びポリオキシアルキレンアルキルスルホコハク酸塩を含有するシャンプー組成物。」
２．申立ての理由の概要
　特許異議申立人三洋化成工業株式会社は、
（１）本件発明は、甲第１号証（特開昭５７−７７３０４号公報）に記載の発明と同一であり、又は、甲第１号証及び甲第２号証〔細田文一郎外１名著「続シャンプー」（昭和５３年１０年１０日社団法人日本毛髪科学協会発行）第１７８〜１８５頁［１に記載された発明に基づいて、当業者が容易に発明をすることができたものであるから、特許法第２９条第１項第３号に該当するか、又は、同法同条第２項の規定により、特許を受けることができない旨主張し、また、（２）本件発明の特許は、その明細書が、下記の理由により、特許法第３６条第５項に規定する要件を満たしていない特許出願に対してなされたものであり取り消されるべきものである旨主張している。
　３．判断
（１）特許法第２９条第１項第３号又は同法同条第２項について
　甲第１号証には、「１．一般式
［式中、Ｒ１は炭素数８〜２２の脂肪族一級アルコール残基、または
（Ｒ２は炭素数８〜２２の高級脂肪酸の残基、Ｒ３は水素またはメチル基）、ｎは０〜２０、Ｍ１、Ｍ２は水素原子、アルカリ金属、アルカリ土類金属、アンモニウムまたは低級アルカノールアミンカチオンである。］で示されるスルホコハク酸型界面活性剤（Ａ）と合計量が（Ａ）の重量に基づいて２％以下の
一般式
　Ｒ１Ｏ（ＣＨ２ＣＨ２Ｏ）ｎＨ
（式中Ｒ１、ｎは一般式（１）のＲ１、ｎと同じ。）で示されるアルコール（Ｂ）及び
一般式
（式中Ｒ１、ｎは一般式（１）のＲ１、ｎと同じ。）で示されるジエステル（Ｃ）からなることを特徴とする界面活性剤組成物。」（特許請求の範囲）、「本発明の組成物はボディシャンプーやフェイシャルクレンザー、手洗い洗剤などの皮膚洗浄剤；シャンプーなどの毛髪洗浄剤、皿洗い洗剤などの家庭用洗浄剤などの基剤として使用することができる。」（第４頁左上欄）、「このような併用可能物としては、…、ポリオキシエチレンアルキルエーテル、…保湿剤（…ポリエチレングリコールなど）、低級アルコール類（…プロピレングリコール…）、…などが挙げられる。」（第４頁左上欄第１４行〜同頁左下欄第１４行）などが記載されている。
　甲第２号証には、ハイドロトロープに関し、液体シャンプーは低温においても安定な溶液系を保っていることが望ましく、寒冷地では凍結したり、結晶様の析出物を生成するようでは良い商品とはいえなく、このような場合、基材となる界面活性剤の溶解度を向上させる必要があり、そのためにハイドロトロープが用いられること、表１９のハイドロトロープとしてグリコールエーテル、ポリエチレングリコールエーテルなどがあることが記載され、また、表２３のコンディショニング剤一覧表にて、「保湿剤」として「メチルカルビトール」も用いられることが記載されている。
　そこで、本件発明と甲第１号証記載の発明とを以下に対比検討する。
　甲第１号証記載の界面活性剤組成物は毛髪洗浄剤等に使用されるものであるから、両者は、ポリオキシアルキルスルホコハク酸塩を含有するシャンプー組成物である点で共通しており、また、この界面活性剤に併用される甲第１号証記載の一般式（２）で示されるアルコール（Ｂ）が本件発明の一般式（１）で表される化合物と同様にアルキレングリコールアルキルエーテルであるとしても、そのアルキル基は、本件発明では炭素数１〜５であるのに対し、甲第１号証記載のものは炭素数８〜２２となっており、両者のアルキレングリコールアルキルエーテルは明らかに異なる。
　したがって、本件発明は甲第１号証に記載された発明であるとすることはできない。
　ところで、本件発明で使用するポリオキシアルキレンアルキルスルホコハク酸は、明細書の記載によれば、皮膚に対し非常に温和であることから、シャンプー等身体用の洗浄剤に好適な界面活性剤であるが、これを液体シャンプーに使用した場合、高温下では加水分解を受けやすく、粘度安定性が悪いものであり、低温下ではゲル化を起こしやすいという欠点があった。そこで、本件発明は、上記欠点を改善するために前記式（１）のアルキレングリコールアルキルエーテルを使用することによって、明細書に記載のとおり、高温下における粘度安定性に優れ、低温でのゲル化も起きないシャンプー組成物を提供するにあるものである。
　これに対し、甲第１号証記載の発明では、同甲号証第３頁右上欄第１〜７行の記載及び同頁右下欄第４〜１１行の記載をみると、一般式（２）で示される化合物は、スルホコハク酸型界面活性剤の合成において副生するものであり、起泡力を低下させるので一定量以下に保持されるべき不純物扱いになっているから、副生されるものでなく、
かつ、使用目的の異なる本願発明における一般式（１）で表されるアルキレングリコールアルキルエーテルを示唆するものではない。
　また、甲第１号証記載の発明では任意成分として非イオン界面活性剤「ポリオキシエチレンアルキルエーテル」を併用し得るとするものであるが、単に非イオン界面活性剤としての使用からして、炭素数１〜５というような低級でなく高級の脂肪族アルコールにエチレンオキサイドを付加重合させて得られたものであり、本件発明の一般式（１）で表されるアルキレングリコールアルキルエーテルの使用を示唆するものではない。
　次いで、甲第２号証の記載によれば、グリコールエーテル及びポリエチレングリコールエーテルがハイドロトロープ剤として使用されているものの、本件発明のアルキレングリコールの低級アルキルエーテルに相当する化合物は何も示されていない。しかも、ハイドロトロープ剤の使用目的は、液体シャンプーが低温において凍結したり、結晶様の析出物を生成しないように基材となる界面活性剤の溶解度を向上させるものであるが、本件発明の一般式（１）で表されるアルキレングリコールアルキルエーテルの使用目的であるポリオキシアルキレンアルキルスルホコハク酸塩という特定の界面活性剤を含有せしめたシャンプー組成物に対し高温下における優れた粘度安定性、低温でのゲル化防止とは異質のものというべきである。
　なお、甲第２号証には、シャンプー用の保湿剤として本件発明の一般式（１）に含まれるメチルカルビトールが挙げられているが、同甲号証には本件発明で使用するポリオキシアルキレンアルキルスルホコハク酸塩について具体的な記載はなく、この界面活性剤を含むシャンプー用の保湿剤としてメチルカルビトールの使用を示唆するものではない。
　したがって、甲第１号証及び甲第２号証記載の発明からは、本件発明の構成を示唆する記載は何も見出し得ない。
　すなわち、本件発明は、甲第１号証記載の発明でないばかりでなく、甲第１号証及び甲第２号証記載の発明から当業者が容易に発明をすることができたものとすることもできない。
（２）特許法第３６条第５項について
　特許異議申立人の主張する理由は、特許請求の範囲には、「アルキレングリコールアルキルエーテル」について、発明の詳細な説明では、一般式
（式中、Ｒ１は水素原子又はメチル基を示し、Ｒ２は炭素数１〜５のアルキル基を示す）で表されるアルキレングリコールアルキルエーテルのものしか具体的に開示されていないにもかかわらず、そのアルキレングリコール骨格の繰り返しの数やアルキルエーテルの炭素数が特定されていないので、当業者が容易に実施できる程度に発明の構成と効果が記載されているといえるものでなく、また、「発明の構成に欠くことができない事項」が特定されていないことになる、というものである。
　しかしながら、前述した訂正請求により、特許請求の範囲及び発明の詳細な説明の記載が訂正され、特許請求の範囲の記載は、前記一般式（１）で表されるアルキレングリコールアルキルエーテルに限定されたものとなっている。
　そうすると、本件明細書には特許異議申立人の主張するような不備は見当たらない。
　４．むすび　　　　
　以上のとおりであるから、特許異議申立の理由及び証拠によっては本件発明の特許を取り消すことができない。
　また、他に本件発明の特許を取り消すべき理由を発見しない。
　よって、結論のとおり決定する。
【異議決定日】
平成１１年６月１７日（１９９９．６．１７）
【訂正の要旨】
　特許第２６０８５００号の明細書中、（１）特許請求の範囲の減縮を目的として、【特許請求の範囲】の【請求項１】に記載の「アルキレングリコールアルキルエーテル及び‥‥」を「一般式（１）
（式中、Ｒ１は水素原子又はメチル基を示し、Ｒ２は炭素数１〜５のアルキル基を示す。）
で表されるアルキレングリコールアルキルエーテル及び‥‥」と訂正し、（２）これに伴い発明の詳細な説明の欄の明りょうでない記載の釈明を目的として、【０００７】に記載の「アルキレングリコールアルキルエーテル及び‥‥」を「一般式（１）
（式中、Ｒ１は水素原子又はメチル基を示し、Ｒ２は炭素数１〜５のアルキル基を示す。）
で表されるアルキレングリコールアルキルエーテル及び‥‥」と訂正し、段落【０００８】及び【０００９】の記載を削除し、段落【００１０】「（式中‥‥を示す）で表されるものが挙げられる。」を「本発明で用いられるアルキレングリコールアルキルエーテルとしては、」と訂正とする。
（５４）【発明の名称】
シャンプー組成物
（５７）【特許請求の範囲】
　　【請求項１】　一般式（１）
（式中、Ｒ１は水素原子又はメチル基を示し、Ｒ２は炭素数１〜５のアルキルノを示す）
で表わされるアルキレングリコールアルキルエーテル及びポリオキシアルキレンアルキルスルホコハク酸塩を含有するシャンプー組成物。
【発明の詳細な説明】
　　　【０００１】
　　【産業上の利用分野】
　本発明は、ポリオキシアルキレンアルキルスルホコハク酸塩を含みながらも、高温下における粘度安定性が良く、低温でもゲル化しないシャンプー組成物に関する。
　　　【０００２】
　　【従来の技術】
　ポリオキシアルキレンアルキルスルホコハク酸塩は皮膚に対し非常に温和であることから、ジャンプ一等身体用の洗浄剤に好適な界面活性剤である。
　　　【０００３】
　しかしながら、ポリオキシアルキレンアルキルスルホコハク酸塩、特にポリオキシエチレンアルキルスルホコハク酸塩は、液状のシャンプーに使用した場合、高温下ではそのエステル結合が加水分解を受けやすいという欠点がある。
　　　【０００４】
　このため、ポリオキシアルキレンアルキルスルホコハク酸塩を含有せしめたシャンプー組成物は、高温下では粘度安定性か悪く、更に低温下においてはゲル化を起こしやすいという問題があった。
　　　【０００５】
　　【発明か解決しようとする課題】
　従って、本発明の目的は、ポリオキシアルキレンアルキルスルホコハク酸塩を含みながらも、高温下における粘度安定性に優れ、低温でもゲル化しないシャンプー組成物を提供することにある。
　　　【０００６】
　　【課題を解決するための手段】
　かかる実状に鑑み、本発明者らは、鋭意研究を行った結果、後記一般式（１）で表わされるアルキレングリコールアルキルエーテルをポリオキシアルキレンアルキルスルホコハク酸塩と併用することにより、高温下における粘度安定性に優れ、低温でのゲル化も起きないシャンプー組成物か得られることを見い出し本発明を完成した。
　　　【０００７】
　すなわち、本発明は、一般式（１）
（式中、Ｒ１は水素原子又はメチル基を示し、Ｒ２は炭素数１〜５のアルキル基を示す）
で表わされるアルキレングリコールアルキルエーテル及びポリオキシアルキレンアルキルスルホコハク酸塩を含有するシャンプー組成物を提供するものである。
　　　【０００８】
　　　【０００９】
　　　【００１０】
　本発明で用いられるアルキレングリコールアルキルエーテルとしては、具体的にはジエチレングリコールモノメチルエーテル、ジエチレングリコールモノエチルエーテル、ジエチレングリコールモノプロピルエーテル、ジエチレングリコールモノブチルエーテル、ジエチレングリコールモノペンチルエーテル、ジエチレングリコールモノイソプロピルエーテル、ジエチレングリコールモノｔ−プチルエーテル、ジプロピレングリコールモノメチルエーテル、ジプロピレンゲリコールモノエチルエーテル、ジプロピレンズリコールモノプロピルエーテル、ジプロピレングリコールモノブチルエーテル、ジプロピレンズリコールモノペンチルエーテル、ジプロピレングリコールモノイソプロビルエーテル及びジプロピレングリコールモノｔ−ブチルエーテル等が挙げられる。これらのうち、特に、ジエチレングリコールモノエチルエーテル、ジエチレングリコールモノプロピルエーテル、ジエチレングリコールモノブチルエーテルが好ましい。
　　　【００１１】
　アルキレングリコールアルキルエーテルの配合量としては、０．１〜２５重量％の範囲が好ましく、特に１〜１０重量％の範囲が好ましい。この量が２５重量％を超えるとすすぎ時の感触を損ない好ましくなく、０．１重量％未満であると本発明の効果が得られず好ましくない。
　　　【００１２】
　本発明に用いるポリオキシアルキレンアルキルスルホコハク酸塩は特に限定されるものではないが、次の一般式（２）、（３）で表わされるものが好ましい例として挙げられる。
　　　【００１３】
〔式中、ＡＯは単独もしくは異なったものの混合で−ＣＨ２ＣＨ２Ｏ−
は炭素数８〜２２の直鎖又は分岐鎖のアルキル基又はアルケニル基を示し、Ｒ５は炭素数７〜２１の直鎖又は分岐鎖のアルキル基又はアルケニル基を示す）、Ｍは水素原子又はアルカリ金属、アルカリ上類金属、アンモニウム及び有機アンモニウムから選ばれる水溶性塩を形成する陽イオンを示し、ｍは１〜２０の数を示す〕
　　　【００１４】
　上記一般式（２）又は（３）で表わされる化合物のうち、高級アルコール若しくはそのエトキシレートのスルホコハク酸エステルとしては、例えば炭素数１１〜１３の２級アルコールエトキシレートのスルホコハク酸エステルの２ナトリウム塩〔日本触媒化学工業製，ソフタノールＭＥＳ　３，５，７，９，１２（それぞれの数字はエチレンオキサイドの平均付加モル数（ＥＯ）を示す）等〕、ラウリルアルコール又はラウリルアルコールエトキシレート（ＥＯ）＝３，４，６，９，１２）のスルホコハク酸エステルの２ナトリウム塩（東邦化学工業製，コハクールＬ−４００等）、炭素数１２〜１５の合成１級アルコール又はそのエトキシレート（ＥＯ＝２〜１２）のスルホコハク酸エステルの２ナトリウム塩、炭素数８〜２２のゲルベアルコール又はそのエトキシレート（ＥＯ＝２〜１２）のスルホコハク酸の２ナトリウム塩などが挙げられ、また、高級脂肪酸アミド由来のスルホコハク酸エステルとしては、例えばラウリン酸ポリエチレングリコール（ＥＯ＝１，２）アミドのスルホコハク酸エステルの２ナトリウム塩、オレイン酸ポリエチレングリコール（ＥＯ＝１，２）アミドのスルホコハク酸エステルの２ナトリウム塩、ヤシ油脂肪酸ポリエチレングリコール（ＥＯ＝４）のスルホコハク酸エステルの２ナトリウム塩などが挙げられる。
　　　【００１５】
　ポリオキシアルキレンアルキルスルホコハク酸塩のシャンプー組成物への配合量は、０．５〜３０重量％とすることか好ましく、特に１〜２０重量％が好ましい。この量が３０重量％を超えると油剤等他の成分の配合が難しくなり好ましくなく、一方０．５重量％未満ではアルキレングリコールアルキルエーテルを配合する必要性は少なく本発明適用の意味は少ない。
　　　【００１６】
　本発明のシャンプー組成物は、上記必須成分の他に、種々の界面活性剤、油剤、その他のものを配合することができる。
　この例として、ア二オン性界面活性剤としては、直鎖、ＥＯ／ＰＯ付加型アルキル／アルケニルエーテル硫酸塩、アルキル／アルケニル硫酸塩、オレフィンスルホン酸塩、アルカンスルホン酸塩、飽和／不飽和脂肪酸塩、ＥＯ／ＰＯ付加型アルキル／アルケニルエーテルカルボン酸塩、α−スルホ脂肪酸塩／エステル、リン酸エステル型界面活性剤、アミノ酸型界面活性剤、カルボン酸型界面活性剤等：非イオン性界面活性剤としては、ＥＯ／ＰＯ、ＥＯ／ＢＯ付加型非イオン性界面活性剤、高級脂肪酸アルカノールアミド／そのアルキレンオキサイド付加物、糖系ノニオン性界面活性剤、カチオン性界面活性剤としては、ジ長鎖アルキル４級アンモニウム塩、モノ長鎖アルキル４級アンモニウム塩、ジ長鎖アルキルポリオキシエチレン４級アンモニウム塩、モノ長鎖アルキルポリオキシエチレン４級アンモニウム塩、ビス（ヒドロキシアルキル）４級アンモニウム塩、アミド／エステル結合を有する４級アンモニウム塩等；両性界面活性剤としては、ベタイン型（カルボ，アミド，スルホ，ヒドロキシスルホ，アミドスルホ）、イミダゾリン型、アミドアミノ酸型等が挙げられる。
　　　【００１７】
　油剤としては、エステル油、ワックス、ワックスエステル、炭化水素、シリコーン、シリコーン誘導体、ポリオキシアルキレン誘導体、ポリオキシアルキレンアルキルエーテル誘導体、高級アルコール等がある。
　希釈溶媒としては、水、低級アルコール等の揮発性担体が挙げられる。
　　　【００１８】
　その他、本発明の効果を損なわない量の公知の成分、すなわち、蛋白質誘導体、生薬等の植物抽出物、水溶性高分子物質、金属イオン封鎖剤、防腐剤、殺菌剤、グリセリン等の保湿剤、ｐＨ調整剤、紫外線吸収剤、酸化防止剤、酸化剤、還元剤、色素及び香料等をその必要に応じて配合することができる。
　　　【００１９】
　本発明のシャンプー組成物は、常法に従い、混合、攪拌等を行い製造することができる。
　　　【００２０】
　　【実施例】
　以下、実施例を挙げて本発明を更に詳細に説明するか本発明はこれらに限定されるものではない。
　　　【００２１】
実施例１
　下記表１に示す組成のシャンプー組成物を調製し、４０℃の保存庫に１ケ月保存し、粘度安定性と低温時のゲル化を下記基準により評価した。
　結果を表１に示す。
　　　【００２２】
評価基準
　粘度安定性：
　同期間、室温（２５℃）で保存したものと比較し、次の如く評価した。
　２５℃保存品と比べて、ほとんど変化なし　　○
　２５℃保存品と比べて、変化あり　　　　　　△
　２５℃保存品と比べて、著しい変化あり　　　×
　低温（５℃）時のゲル化：
　ゲル化せず　　　　　○
　ややゲル化気味　　　△
　ゲル化　　　　　　　×
　　　【００２３】
　【表１】
　　　【００２４】
実施例２　抗フケシャンプー組成物
　　　【００２５】
実施例３　シャンプー組成物
　　　【００２６】
　実施例２及び３のシャンプー組成物は、いずれも粘度安定性に優れ、低温時のゲル化も生じなかった。
　　　【００２７】
　　【発明の効果】
　本発明のシャンプー組成物は、ポリオキシアルキレンアルキルスルホコハク酸塩を含みながらも高温下での粘度安定性が良く、低温でもゲル化しない優れたものである。